(57)【要約】【課題】簡単な構成で形成することができ、高温使用が可能で発熱側部材と冷却側部材との間で良好な熱伝導性を有する熱インターフェース板及びその製造方法を提供する。【解決手段】発熱側部材と冷却側部材との間に挟持状態に介在される熱インターフェース板１０Ａであって、金属板１１の一部を厚み方向に立ち上げて変形させることにより形成され、厚み方向に弾性変形可能な複数の突起部１２と、その突起部１２が発熱側部材又は冷却側部材の少なくともいずれかと接触して厚み方向に押圧された際に収容可能な穴部１３とを有する。【選択図】      図２
2014192479.tif 000002
【特許請求の範囲】
【請求項１】
発熱側部材と冷却側部材との間に挟持状態に介在される熱インターフェース板であって、金属板の一部を厚み方向に立ち上げて変形させることにより形成され、厚み方向に弾性変形可能な複数の突起部と、該突起部が前記発熱側部材又は前記冷却側部材の少なくともいずれかと接触して厚み方向に押圧された際に収容可能な穴部とを有していることを特徴とする熱インターフェース板。
【請求項２】
前記突起部は、前記金属板に切り込みを形成し、その切り込みの内側部分を切起こすことにより形成された舌片部により構成され、前記穴部は前記舌片部を切起こした後の切り込みの内側に形成された空所により構成されていることを特徴とする請求項１記載の熱インターフェース板。
【請求項３】
前記穴部は、前記突起部の外形よりも大きく形成されていることを特徴とする請求項１又は２に記載の熱インターフェース板。
【請求項４】
前記金属板は、Ｃｕ、Ａｌ又はＣｕの両面にＡｌが積層された三層クラッド材により形成されていることを特徴とする請求項１から３のいずれか一項に記載の熱インターフェース板。
【請求項５】
金属板に切り込みを形成し、その切り込み部分を厚み方向に切起こすことにより舌片部からなる突起部及び該突起部を切起こした後の空所により構成される穴部を形成するプレス加工工程と、前記穴部をエッチングして該穴部を前記突起部の外形よりも大きく形成するエッチング工程とを有することを特徴とする熱インターフェース板の製造方法。
【請求項６】
ダイス穴よりも寸法が大きいパンチにより金属板に半抜き加工を施すことにより、前記金属板の一部を厚み方向に立ち上げて変形させて突起部を形成するとともに、該突起部の裏面に穴部を形成することを特徴とする熱インターフェース板の製造方法。
【発明の詳細な説明】
【技術分野】
【０００１】
本発明は、インバータ等の発熱部品の冷却器への接続に用いる熱インターフェース板及びその製造方法に関する。
【背景技術】
【０００２】
インバータ等の発熱部品が発した熱を効率良く冷却器に伝達させて発熱部品の温度上昇を抑制するには、発熱部品と冷却器とを密着させる必要があるため、発熱部品と冷却器とをろう付けやはんだ付けで一体化することが行われる。ところが、ろう付け等による一体型構造は、発熱部品と冷却器との取り外しができないため、発熱部品の故障時には全体を交換する必要がある。
そこで、発熱部品と冷却器との間に反りや熱変形を吸収して密着性を向上させるための熱インターフェースを介装することが行われている。熱インターフェースは、発熱部品と冷却器とをろう付けする場合等に比べると、熱処理が不要で組立が容易であり、部品間の熱膨張係数差から生じる熱応力による部品の変形を抑制できる。
【０００３】
熱インターフェースとしては、熱伝導性シリコンゴム等の弾性樹脂で形成された柔軟性を有する樹脂シートや、熱伝導性グリースが一般的に使用される。
しかし、樹脂シートは、熱抵抗が高く、熱伝達性能に限界がある。また、熱伝導性グリースを用いる場合には、ヒートサイクルを長期間にわたって受けた場合に、ポンプアウト現象により、熱伝導性グリースに含まれるオイルが発熱部品と冷却器との間から流れ出し、熱伝導性グリースが乾燥して劣化することにより熱抵抗の増加を招くことがある。
【０００４】
そこで、樹脂シートに熱伝導を向上させるフィラー（酸化物、金属粉など）を入れたもの等、金属と樹脂とを組み合わせた熱インターフェースが考えられている。
例えば特許文献１では、熱インターフェースとして、多孔性金属組織にシリコンゴムやウレタン系樹脂、エポキシ系樹脂等の弾性樹脂を充填した放熱シートが提案されている。この放熱シートは弾性樹脂を充填していることから、金属骨格部分が塑性変形しても弾性樹脂の弾性回復力が金属骨格を塑性変形させるので、放熱シートの形状が元に戻り、伝熱面に空気層が生じることなく、放熱シートとしての性能を良好に保てることが記載されている。
【０００５】
また、特許文献２には、金属箔又は金属メッシュからなる中間層と、その両面に形成される樹脂系熱伝導性組成物からなる層とを含む積層構造体により形成した放熱シートが提案されている。この場合、樹脂系熱伝導性組成物が電子部品の温度上昇に伴って可逆的に性状が固体からペースト状あるいは液体状に変化することから、熱抵抗を低減できるとともに、金属箔又は金属メッシュを用いることにより樹脂系熱伝導性組成物のポンプアウト現象を抑制できることが記載されている。
さらに、特許文献３には、金属製の細線と樹脂製の細線とを織合わせた熱インターフェースが開示されている。熱は、熱伝導性の高い金属性細線を通して伝えられるため、熱抵抗を小さく保つことができるとともに、この金属製の細線に柔軟性の高い樹脂製の細線を織合わせていることから、柔軟性に優れる熱インターフェースを形成できることが記載されている。
【０００６】
また、特許文献４には、被冷却体との接触面の形状に沿って弾性変形や塑性変形する凸状構造部を有する凸状構造部材が提案されている。凸状構造部が被冷却体のうねりや粗さに沿って直接接触することで、被冷却体に密着して取り付けることができ、熱を素早く伝達できることが記載されている。
【先行技術文献】
【特許文献】
【０００７】
【特許文献１】特開２００４‐２８９０６３号公報
【特許文献２】特開２００２‐３２９９８９号公報
【特許文献３】特開平８‐８８３００号公報
【特許文献４】特開２００７‐２９４５５４号公報
【発明の概要】
【発明が解決しようとする課題】
【０００８】
しかし、特許文献１から３に記載されるような金属と樹脂とを組み合わせた熱インターフェースは、金属と樹脂とを組合せる工程等、製造方法が複雑であることから、製造コストが高くなる。また、樹脂を用いることから、高温で動作する半導体モジュール等への使用が困難である。
そして、特許文献４に記載される熱インターフェースも、弾性変形する凸状構造部を形成する工程が複雑なものとなっており、製造コストの増加が懸念される。
【０００９】
本発明は、このような事情に鑑みてなされたものであって、簡単な構成で形成することができ、高温使用が可能で発熱側部材と冷却側部材との間で良好な熱伝導性を有する熱インターフェース板及びその製造方法を提供することを目的とする。
【課題を解決するための手段】
【００１０】
本発明は、発熱側部材と冷却側部材との間に挟持状態に介在される熱インターフェース板であって、金属板の一部を厚み方向に立ち上げて変形させることにより形成され、厚み方向に弾性変形可能な複数の突起部と、該突起部が前記発熱側部材又は前記冷却側部材の少なくともいずれかと接触して厚み方向に押圧された際に収容可能な穴部とを有していることを特徴とする。
【００１１】
被接触体の間に配置された際に、突起部と発熱側部材又は冷却側部材とが接触することにより突起部が穴部に押し込まれる。これにより、発熱側部材又は冷却側部材の形状に沿って突起部が接触した状態で両部材の間に熱インターフェース板が介装されるとともに、突起部が穴部に収容されることにより、これらの間に生じる空隙を最小にすることができる。
また、この熱インターフェース板は、金属板を変形させた突起部と穴部との簡単な構成により形成することができ、樹脂を用いることなく発熱側部材又は冷却側部材の形状に突起部を追従させることができる。このため、これらの接触界面に生じる接触抵抗を低減させることができ、発熱側部材から生じる熱を冷却側部材に円滑に伝えることができる。さらに、金属板のみで構成することができることから、高温使用が可能である。
【００１２】
本発明の熱インターフェース板において、前記突起部は、前記金属板に切り込みを形成し、その切り込みの内側部分を切起こすことにより形成された舌片部により構成され、前記穴部は前記舌片部を切起こした後の切り込みの内側に形成された空所により構成されているとよい。
突起部にばね性を持たせることができるので、発熱側部材と冷却側部材との間で熱伸縮に差が生じても突起部の弾性力でこれらの部材との接触状態を維持することができ、熱伝達性能を良好に保つことができる。
【００１３】
本発明の熱インターフェース板において、前記穴部は、前記突起部の外形よりも大きく形成されているとよい。
この場合、突起部が押圧された際に、穴部に接触することがなく収容されるため、突起部のばね性を良好に発揮させることができる。
【００１４】
本発明の熱インターフェース板において、金属板は、Ｃｕ、Ａｌ又はＣｕの両面にＡｌが積層された三層クラッド材により形成されていると良い。
三層クラッド材を用いた場合、ＡｌがＣｕの両面に配置されることから、発熱側部材又は冷却側部材にＡｌが押圧接触されることになる。Ａｌは塑性変形し易い金属であるため、発熱側部材又は冷却側部材と接触することでその形状に沿って変形し、これらの部材と熱インターフェース板との接触面積を増加させることができ、接触抵抗をより一層低減させることができる。
【００１５】
本発明の熱インターフェース板の製造方法は、金属板に切り込みを形成し、その切り込み部分を厚み方向に切起こすことにより舌片部からなる突起部及び該突起部を切起こした後の空所により構成される穴部を形成するプレス加工工程と、前記穴部をエッチングして該穴部を前記突起部の外形よりも大きく形成するエッチング工程とを有することを特徴とする。
【００１６】
本発明の熱インターフェース板の製造方法は、ダイス穴よりも寸法が大きいパンチにより金属板に半抜き加工を施すことにより、前記金属板の一部を厚み方向に立ち上げて変形させて突起部を形成するとともに、該突起部の裏面に穴部を形成することを特徴とする。
【発明の効果】
【００１７】
本発明によれば、金属板を加工することに設けられた突起部と穴部との簡単な構成で、高温使用が可能で発熱側部材と冷却側部材との間で良好な熱伝導性を有する熱インターフェース板を提供することができる。
【図面の簡単な説明】
【００１８】
【図１】本発明に係る熱インターフェース板を発熱側部材と冷却側部材との間に介在させて構成した冷却システムを示す断面図である。
【図２】第１実施形態の熱インターフェース板を説明する図であり、（ａ）が要部平面図、（ｂ）がＡ‐Ａ線に沿う要部断面図である。
【図３】第２実施形態の熱インターフェース板を説明する図であり、（ａ）が要部平面図、（ｂ）がＢ‐Ｂ線に沿う要部断面図である。
【図４】第３実施形態の熱インターフェース板を説明する図であり、（ａ）が要部平面図、（ｂ）がＣ‐Ｃ線に沿う要部断面図である。
【図５】第４実施形態の熱インターフェース板を説明する図であり、（ａ）が要部平面図、（ｂ）がＤ‐Ｄ線に沿う要部断面図である。
【図６】第５実施形態の熱インターフェース板を説明する図であり、（ａ）が要部平面図、（ｂ）がＥ‐Ｅ線に沿う要部断面図である。
【図７】第６実施形態の熱インターフェース板を説明する図であり、（ａ）が要部平面図、（ｂ）がＦ‐Ｆ線に沿う要部断面図である。
【発明を実施するための形態】
【００１９】
以下、本発明に係る熱インターフェース板及びその製造方法の実施形態について、図面を参照しながら説明する。
図１は、インバータ等の発熱側部材２０と、冷却器等の冷却側部材３０との間に、本実施形態の熱インターフェース板１０を介在させた冷却システム１００を示している。発熱側部材２０と冷却側部材３０とは、図示はしないが、例えば、ねじ止めにより機械的に固定される。
【００２０】
第１実施形態の熱インターフェース板１０Ａは、図２に示すように、金属板１１により構成されている。金属板１１には、Ａｌ又はＣｕ、Ｃｕの両面にＡｌが積層された三層クラッド材等の良好な熱伝導性を有するものが用いられ、その板厚ｔは、例えば０．０５ｍｍ〜０．３ｍｍとされる。
また、特にＣｕは、ばね性を有する端子材用のＣｕ合金（例えば、Ｃｕ‐Ｚｒ‐Ｍｇ）や高剛性合金（例えばコルソン合金、リン青銅）などを用いることで、連続使用回数を増加させることができる。
【００２１】
この熱インターフェース板１０は、図２（ｂ）に示すように、金属板１１の一部を厚み方向に立ち上げて変形させることにより形成され、厚み方向に弾性変形可能な複数の突起部１２と、これら突起部１２が発熱側部材２０又は冷却側部材３０の少なくともいずれかと接触して厚み方向に押圧された際に収容可能な穴部１３とを有している。
突起部１２は、図２に示すように、金属板１１にＶ字状の切り込みを形成し、その切り込みの内側部分を金属板１１の一方の面の上方（図２（ｂ）では上側）に向けて切起こすことにより形成された舌片部により構成されている。また、穴部１３は、突起部１２を切起こした後の切り込みの内側に形成された空所により構成され、突起部１２の外形よりも大きく形成されている。そして、突起部１２の先端部１２ａはＶ字状の切り込みの内側部分を切起こすのと同時に曲げられ、金属板１１の表面と略平行に設けられる。
【００２２】
次に、このように構成された熱インターフェース板１０Ａの製造方法について説明する。
熱インターフェース板１０Ａは、主に金属板１１にプレス加工を施すことにより形成される。
（プレス加工工程）
まず、金属板１１にＶ字状の切り込みを形成し、その切り込み部分を厚み方向に切起こすことにより舌片部からなる突起部１２を形成するとともに、その突起部１２を切起こした後の空所により構成される穴部１３とを形成する。
（エッチング工程）
上記のプレス加工工程において突起部１２を形成した後に、穴部１３にエッチング処理を施して、突起部１２の外周縁及び穴部１３の内周縁を侵食させ、穴部１３を突起部１２の外形よりも大きくなるように形成する。
【００２３】
このように、熱インターフェース板１０Ａは、突起部１２と穴部１３とによる簡単な構成で形成することができる。そして、このように構成された熱インターフェース板１０は、図１に示すように、発熱側部材２０と冷却側部材３０との間に挟持状態に介在される。この場合、突起部１２を発熱側部材２０に向けて配置する。
【００２４】
図１に示すように、熱インターフェース板１０Ａを発熱側部材２０と冷却側部材３０との間に挟持すると、発熱側部材２０と突起部１２とが接触することにより、突起部１２が厚み方向に弾性変形して穴部１３に押し込まれる。これにより、発熱側部材２０の形状に沿って突起部１２が接触した状態で、発熱側部材２０と冷却側部材３０との間に熱インターフェース板１０Ａが介装されるとともに、突起部１２が穴部１３に収容されることにより、発熱側部材２０及び冷却側部材３０と熱インターフェース板１０Ａとの間に生じる空隙を最小にすることができる。
また、突起部１２の弾性変形により、熱インターフェース板１０Ａと発熱側部材２０及び冷却側部材３０との間に多数の接触点が形成されるため、発熱側部材２０及び冷却側部材３０に熱インターフェース板１０Ａを全面にわたって接触させることができる。
【００２５】
また、この熱インターフェース板１０Ａは、金属板１１を変形させた突起部１２と穴部１３との簡単な構成により形成することができ、樹脂を用いることなく発熱側部材２０の形状に突起部１２を追従させることができる。このため、熱インターフェース板１０Ａと発熱側部材２０との接触界面に生じる接触抵抗を低減させることができ、発熱側部材２０から生じる熱を、熱インターフェース板１０Ａを介して冷却側部材３０に円滑に伝えることができる。さらに、金属板１１のみで構成することができることから、高温使用が可能である。
【００２６】
また、突起部１２を舌片部によって形成することで、突起部１２にばね性を持たせることができるので、発熱側部材２０と冷却側部材３０との間で熱伸縮に差が生じても弾性変形可能な突起部１２が変形に伴い追従するので、突起部１２の弾性力で各部材との接触状態を維持することができ、熱抵抗を増加させることなく熱伝達性能を良好に保つことができる。
さらに、穴部１３を、突起部１２の外形よりも大きく形成しているので、突起部１２が押圧された際に、穴部１３に接触することがなく収容され、突起部１２のばね性を良好に発揮させることができる。
【００２７】
なお、上記第１実施形態の熱インターフェース板１０Ａにおいては、突起部１２を発熱側部材２０に向かう方向（図２（ｂ）では上側）に配置したが、突起部１２を冷却側部材３０に向かう方向（図２（ｂ）では下側）に配置することもできる。また、突起部１２を一方向にのみ立ち上げる構成ではなく、図３に示す第２実施形態の熱インターフェース板１０Ｂのように、複数の突起部１２を、一方向に立ち上げた突起部１２Ａと、他方向に立ち上げた突起部１２Ｂとの両方形成し、突起部１２Ａが発熱側部材２０に、突起部１２Ｂが冷却側部材３０に押圧状態に接触する構成としてもよい。
【００２８】
さらに、他の実施形態として、例えば、図４から図７に示す熱インターフェース板１０Ｃ〜１０Ｆを構成することもできる。
図４に示す第３実施形態の熱インターフェース板１０Ｃは、一方向に立ち上げた突起部１２Ａを縦に一列に並べて配置するとともに、他方向に立ち上げた突起部１２Ｂを突起部１２Ａの列に隣接して配置する構成とされる。
また、図５に示す第４実施形態の熱インターフェース板１０Ｄは、一方向に立ち上げた突起部１２Ａを横一列に並べ、他方向に立ち上げた突起部１２Ｂを突起部１２Ａの列に隣接して並べられ、突起部１２Ａ，１２Ｂが交互に逆方向に突出して形成される。
さらに、図６に示す第５実施形態の熱インターフェース板１０Ｅは、一方向に立ち上げた突起部１２Ａと、他方向に立ち上げた突起部１２Ｂとを、隣合う突起部１２Ａ，１２Ｂが異なる方向に突出するように互い違いに並べられて形成される。
【００２９】
また、図７に示す第６実施形態の熱インターフェース板１０Ｆは、第１実施形態の熱インターフェース板１０Ａと同様に、金属板１１の一部を厚み方向に立ち上げて変形させることにより形成され、厚み方向に弾性変形可能な複数の突起部１４と、これら突起部１４が発熱側部材２０又は冷却側部材３０の少なくともいずれかと接触して厚み方向に押圧された際に収容可能な穴部１５とを有する構成とされるが、この熱インターフェース板１０Ｆにおいては、金属板１１の表面に円柱状の突起部１４が複数形成されているとともに、その突起部１４の裏面に、突起部１４の外径よりも径の小さい穴部１５が形成された構成とされる。
そして、このように構成された熱インターフェース板１０Ｆは、図７（ｂ）に示すように、ダイス穴６１よりも寸法が大きいパンチ６２により金属板１１に半抜き加工を施すことにより、金属板１１の一部を厚み方向に立ち上げて変形させた突起部１４を形成するとともに、その突起部１４の裏面に穴部１５を形成することにより製造される。
【００３０】
このように、本実施形態の熱インターフェース板１０Ａ〜１０Ｆによれば、厚み方向に弾性変形可能な突起部１２又は１４が、被接触体表面の反りや熱変形等の変位を吸収するように作用することから、発熱側部材２０で発生した熱は、熱インターフェース板１０Ａ〜１０Ｃを介して効率良く冷却側部材３０に伝えられ、発熱側部材２０の温度上昇を抑制することができる。
【００３１】
また、熱インターフェース板１０Ａ〜１０Ｆは、発熱側部材２０と冷却側部材３０との間に介装されるのみである。このため、発熱側部材２０と冷却側部材３０とをろう付け等する場合に比べて組立てが容易であり、部材間の線膨張係数の差から生じる変形も抑制することができるとともに、発熱側部材２０と冷却側部材３０とを容易に分離することも可能である。
【００３２】
さらに、熱インターフェース板１０Ａ〜１０Ｆは、金属のみで形成されていることから、優れた放熱性能を発揮することができるとともに、弾性変形可能な突起部１２又は１４により熱伝達性と追従性とを両立させることができる。また、熱インターフェース板１０に、Ａｌ等の柔らかい金属を使用することで、発熱側部材２０及び冷却側部材３０と接触して押圧される際に、これら部材２０，３０の形状に沿って突起部１２又は１４の表面が塑性変形し、両部材２０，３０と熱インターフェース板１０Ａ〜１０Ｆとの接触面積を増加させることができることから、接触抵抗をより一層低減させることができる。
【００３３】
また、上記実施形態で記載した発熱側部材は特に限定されるものではないが、絶縁基板を有するパワーモジュールが好適に用いられる。
絶縁基板を有するパワーモジュールは、例えば、窒化アルミニウム、アルミナ、窒化珪素等のセラミックスからなる絶縁基板の一方の面に銅又はアルミニウムからなる回路層と、他方の面に銅又はアルミニウムからなる金属層を有し、回路層上に半導体素子が搭載され、金属層に金属板が接合され、金属層側に冷却器（冷却側部材）が配設される構成である。この構成の場合、本発明の熱インターフェース板を金属板と冷却器との間に介装することによって、半導体素子から発生する熱を、絶縁基板を介して、効率良く冷却器へ伝達することが可能である。
【実施例】
【００３４】
上記において説明した本発明に係る熱インターフェース板において、その効果を確認するために実験を行った。
図２に示すように、３０ｍｍ×１５ｍｍの金属板に複数のＶ字状の切り込みを形成し、その切り込み部分を厚み方向に切起こすことにより舌片部からなる突起部１２を形成して、表１に示す熱インターフェース板の試料（実施例１〜１６）を複数作製した。各試料の金属板１１には、表１記載の材料を用い、金属板１１の全面にほぼ均等に突起部１２を形成した。また、突起部１２の高さｈは、板厚ｔの金属板１１の表面から０．１ｍｍ突出する高さに形成した。
【００３５】
また、表１の「加工形状」が（１）と表記される試料は、図２に示すように、突起部１２が発熱側部材２０の一方向に立ち上げられて形成されていることを示している。また、（２）の試料は、図４に示すように、縦に一列に並べられる突起部１２Ａが発熱側部材２０の方向に突出して形成されるとともに、突起部１２Ａの列に隣接して並べられる列の突起部１２Ｂが冷却側部材３０の方向に突出して形成されており、突起部１２Ａ，１２Ｂが交互に発熱側部材２０と冷却側部材３０の方向に突出して形成されている。そして、（３）の試料は、図５に示すように、横に一列に並べられる突起部１２Ａが発熱側部材２０の方向に突出して形成されるとともに、突起部１２Ａの列に隣接して並べられる列の突起部１２Ｂが冷却側部材３０の方向に突出して形成され、突起部１２Ａ，１２Ｂが交互に発熱側部材２０と冷却側部材３０との逆方向に突出して形成されていることを示している。さらに、（４）の試料は、図６に示すように、発熱側部材２０の方向に突出して形成される突起部１２Ａと、冷却側部材３０の方向に突出して形成される突起部１２Ｂとを、隣合う突起部１２Ａ，１２Ｂが異なる方向に突出するように互い違いに並べられて形成されている。
また、表１の「加工密度」は、金属板１１に形成される１ｍｍ２当たりの突起部の個数を示している。
【００３６】
次に、このように作製した熱インターフェース板の各試料を、厚み５ｍｍの純アルミニウム板（Ａｌ）により形成された発熱側部材２０と、厚み５ｍｍのアルミニウム合金板により形成された冷却側部材３０との間に挟持してねじ止めすることにより冷却システムを構成した。
また、従来例として、グリースを介して発熱側部材２０と冷却側部材３０とをねじ止めした冷却システムを構成した。
そして、図１に示すように、これらの冷却システムの発熱側部材２０の上面中央の８ｍｍφの加熱部に熱源４０を与え、周囲を断熱材（図示略）で覆った状態で、発熱側部材２０の加熱面２１の温度を測定した。測定は、熱源４０を５０Ｗ、周囲温度を２５℃に設定した環境で行った。
結果を表１に示す。
【００３７】
【表１】
2014192479.tif 000003
【００３８】
表１からわかるように、金属板に突起部を加工した熱インターフェース板を用いて冷却システムを構成した実施例１〜１６は、いずれもグリースを介して構成した従来例の冷却システムよりも、加熱面の温度を低減することができた。
また、実施例１〜７は、いずれも純Ｃｕ（ＯＦＣ）を用いて熱インターフェース板を構成したが、突起部の加工密度が高い程、加熱面の温度を低くすることができ、良好な放熱特性を得られることがわかった。
【００３９】
なお、本発明は、上記実施形態に限定されるものではなく、本発明の趣旨を逸脱しない範囲において種々の変更を加えることが可能である。
【符号の説明】
【００４０】
１０，１０Ａ〜１０Ｆ  熱インターフェース板
１１  金属板
１２，１２Ａ，１２Ｂ，１４  突起部
１２ａ  先端部
１３，１５  穴部
２０  発熱側部材
３０  冷却側部材
４０  熱源
６１  ダイス穴
６２  パンチ
１００  冷却システム
【図１】
2014192479.tif 000004
【図２】
2014192479.tif 000005
【図３】
2014192479.tif 000006
【図４】
2014192479.tif 000007
【図５】
2014192479.tif 000008
【図６】
2014192479.tif 000009
【図７】
2014192479.tif 000010